(57)【特許請求の範囲】
【請求項１】
インナーメンバーが中間メンバーに収納された状態で、中間メンバーがアウターメンバーに対し前方に摺動して停止した後、インナーメンバーが中間メンバーに対し前方に摺動するよう中間メンバーとインナーメンバー間に順次移動装置が設けられたスライドレールにおいて、順次移動装置は、中間メンバーの後端部に設けられた合成樹脂製のインナーメンバー保持部材と、インナーメンバーのボール摺動凹溝の後端部に形成された支持凹部より構成され、インナーメンバー保持部材は中間メンバーの内面摺動凹溝と、インナーメンバーのボール摺動凹溝間に位置し、中間メンバーに対するインナーメンバーの横振れを防止する前後方向に円柱状の横振れ規制部と、横振れ規制部の後方に連設されたインナーメンバー保持部を有し、インナーメンバー保持部は、上下方向に適度な弾性を有する弾性脚部と、弾性脚部の後端部に連設され、インナーメンバーが中間メンバーに完全に収納された状態で、前記支持凹部内に位置する保持突部より構成されていることを特徴とするスライドレール。
【発明の詳細な説明】
【０００１】
【発明の属する技術分野】
本発明は、インナーメンバーが中間メンバーに収納された状態で、中間メンバーがアウターメンバーに対し前方に摺動して停止した後、インナーメンバーが中間メンバーに対し前方に摺動するよう構成された、いわゆるシーケンシャル機能を有するスライドレールに関するものである。
【０００２】
【従来の技術】
図１１示す、アウターメンバー（固定側メンバー）１ａと、アウターメンバー１ａに摺動自在に保持された中間メンバー２ａと、中間メンバー２ａに摺動自在に保持されたインナーメンバー（移動側メンバー）３ａより構成されたスライドレールにおいては、アウターメンバー１ａに対し中間メンバー２ａが、中間メンバー２ａに対しインナーメンバー１ａが完全に収納された状態から、インナーメンバー１ａと連結された機器類を前方に引き出すと、中間メンバー２ａが停止した状態で、インナーメンバー３ａのみが摺動するか、あるいは、インナーメンバー３ａを収納した状態で中間メンバー２ａが摺動するか、あるいは、インナーメンバー３ａと中間メンバー２ａがそれぞれ同時に摺動するか一定ではなっかた。
【０００３】
すなわち、インナーメンバー３ａに重荷重の機器類が取り付けられ、中間メンバー２ａが停止した状態で、インナーメンバー３ａのみが前方に摺動して突出すると、アウターメンバー１ａと中間メンバー２ａ間に介在するボール４ａ・・・は中間メンバー２ａとアウターメンバー１ａ間で停止した状態であるから、機器類の荷重は、該ボール４ａ・・・より前方に突出したインナーメンバー３ａに負荷されるので、アウターメンバー１ａの前部には、前端部分のボール４ａを支点として大きなモーメントが作用し、さらに、機器類の荷重がアウターメンバーの前部に最も負荷された状態（複数個のボール４ａ・・・全体で荷重を支持しない状態）で、中間メンバー２ａがアウターメンバー１ａに対し摺動するので、アウターメンバー１ａの前部にひずみが発生したり、各メンバー２ａ、３ａがスムーズに摺動しないという問題があった。
【０００４】
この問題を解決する為、図１２に示すよう、中間メンバー２ａの後端部に、嵌合凹部６ａ、６ａが形成された弾性材料からなるインナーメンバー保持部材７ａを設け、これに対応して嵌合凹部６ａ、６ａに弾性的に嵌合する嵌合凸部８ａ、８ａをインナーメンバー３ａの後端部に形成する事により、インナーメンバー３ａが中間メンバー２ａに完全に収納された状態で、前記嵌合凹部６ａ、６ａに嵌合凸部８ａ，８ａを弾性的に嵌合せしめたスライドレールが提供されてきた。
【０００５】
すなわち、嵌合凹部６ａ、６ａに嵌合凸部８ａ，８ａが嵌合しているので、インナーメンバー３ａを前方に摺動せしめると、中間メンバー２ａにインナーメンバー３ａが収納された状態で、中間メンバー２ａはアウターメンバー１ａに対し前方に摺動する。
そして、中間メンバー２ａがアウターメンバー１ａの前方所定位置まで摺動して停止した状態から、更にインネーメンバー３ａを引き出すことで、嵌合凸部８ａ、８ａと嵌合凹部６ａ，６ａの嵌合状態を解除し、次に中間メンバー２ａに対しインナーメンバー３ａを摺動せしめる順次移動機能（シーケンシャル機能）を有していた。
【０００６】
【発明が解決しようとする課題】
しかしながら、上記構成によると、中間メンバー２ａにインナーメンバー３ａが収納された状態で、中間メンバー２ａとインナーメンバー３ａ間に介在するボール９ａ・・・は、インナーメンバー３ａと中間メンバー２ａの前後方向の略中間部分に位置しているので、インナーメンバー３ａと中間メンバー２ａの後方部での、両者間の左右方向への離間（横振れ）を完全に防止できなかった。  又、インナーメンバー３ａが取り付けられる機器類の左右幅は加工誤差等によってバラツキが生じている。  従って、現実の使用状態では、インナーメンバー３ａが中間メンバー２ａに収納された状態で、インナーメンバー３ａと中間メンバー２ａ間に、機器類の幅方向（左右方向）での微妙な位置づれ（横振れ）が生じ、前記嵌合凹部６ａ，６ａと嵌合凸部８ａ，８ａの左右方向での掛かり代が小さくなり、長期間使用すると、磨耗等も影響してシーケンシャル機能が十分に発揮されないと云う問題があった。
【０００７】
本発明は上記問題に鑑みてなされたものであり、簡単な構造で安価に制作出来、長期間の使用にも耐えうる、安定性に優れたシーケンシャル機能を有するスライドレールを提供する事を課題とする。
【０００８】
【課題を解決する為の手段】
そこで、上記課題を解決する為、本発明の第１の手段として構成したところは、インナーメンバーが中間メンバーに収納された状態で、中間メンバーがアウターメンバーに対し前方に摺動して停止した後、インナーメンバーが中間メンバーに対し前方に摺動するよう中間メンバーとインナーメンバー間に順次移動装置が設けられたスライドレールにおいて、順次移動装置は、中間メンバーの後端部に設けられた合成樹脂製のインナーメンバー保持部材と、インナーメンバーのボール摺動凹溝の後端部に形成された支持凹部より構成され、インナーメンバー保持部材は中間メンバーの内面摺動凹溝と、インナーメンバーのボール摺動凹溝間に位置し、中間メンバーに対するインナーメンバーの横振れを防止する前後方向に円柱状の横振れ規制部と、横振れ規制部の後方に連設されたインナーメンバー保持部を有し、インナーメンバー保持部は、上下方向に適度な弾性を有する弾性脚部と、弾性脚部の後端部に連設され、インナーメンバーが中間メンバーに完全に収納された状態で、前記支持凹部内に位置する保持突部より構成されているものである。
【００１４】
【実施例】
以下、本発明を添付図面に基づいて説明する。
図１〜図４において、符号１００は、本発明のスライドレールを示し、スライドレール１００は、アウターメンバー１と、アウターメンバー１に、外側リテーナー４、４に回転自在に保持されたボール４０・・・を介して、摺動自在に保持された中間メンバー２と、中間メンバー２に、内側リテーナー５、５に回転自在に保持されたボール５０・・・を介して、摺動自在に保持されたインナーメンバー３より構成されている。
【００１５】
アウターメンバー１は、固定側部材に連結されて固定側メンバーとして使用される略チャンネル型で、詳しくは固定側部材と連結される帯状の基板１０と、基板１０の上下端部に連設された、中間メンバー２方向で互いの間隔が広がる上下ボール規制突縁１１、１１と、上下ボール規制突縁１１、１１に連設された互い互いに向き合う略横Ｌ字形の上下突出縁１２、１２より構成されている。
そして、基板１０の後端部には、中間メンバー２側に突出する、収納時ストッパー１３が形成され、基板１０の前後方向には上下端部の所定個所（前端部と略中央部 2カ所と後端部）を内方に突出せしめて、外側リテーナー４の前後方向の移動範囲を規制するリテーナーストッパー１４・・・が形成されている。
又、アウターメンバー１の基板１０の前後方向に所定間隔を有して固定部材との連結孔１５・・・が形成されている。
【００１６】
中間メンバーは２は、高さ方向中央部が略山形にインナーメンバー３側に突出する基板２０と、基板２０の上下端部に連設された上下縁２１、２１より略チャンネル形に構成され、上下縁２１、２１の外面に、外側ボールリテーナー４に回転自在に保持されたボール４０・・・の外面摺動凹溝２２、２２が形成され、上下縁２１、２１の内面に内側ボールリテーナー５に回転自在に保持されるボール５０・・・の内面摺動凹溝２３、２３が形成されている。
【００１７】
又、基板２０の後端部には、インナーメンバー３が中間メンバー２に収納された時、インナーメンバー３の後端部が当接し、インナーメンバー３と共に、中間メンバー２を外側メンバー１に収納するための中間メンバー後端ストッパー２４がインナーメンバー３側に突出して形成され、基板２０の前端部には、インナーメンバー３が中間メンバー２に対し最も伸長した時、内側リテーナー５の前端部が当接する内側リテーナー前端ストッパー２５が形成され、上下縁２１、２１の後端部には、アウターメンバー１の上下ボール規制突縁１１、１１と上下突出縁１２、１２内に突出し、中間メンバー２がアウターメンバー１に対し最も伸長した時、外側リテーナー４の後端部に当接する外側リテーナー後端ストッパー２６が形成されている。
そして、前記中間メンバー後端ストッパー２４には、ショックアブソーバーと消音機能をそなえるための緩衝部材２４１が取り付けられている。
【００１８】
インナーメンバー３は、帯状の基板３０と、基板３０の上下端部に連設された上下縁３１、３１より構成され、上下縁３１、３１には内側リテーナー５に保持されたボール５０・・・を、中間メンバー２の内面摺動凹溝２３、２３間で摺動自在に保持するボール摺動凹溝３２、３２が形成されている。
そして、インナーメンバー３の基板３０の後端部には、インナーメンバー３が中間メンバー２に収納された時、中間メンバー２の中間メンバー後端ストッパー２４（緩衝部材２４１）に当接し、インナーメンバー３が、中間メンバー２に対し最も伸長した時、内側リテーナー５の後端部に当接する（この時、内側リテーナー５の前端は、中間メンバー２の内側リテーナー前端ストッパー２５に当接して内側リテーナー５は停止している。）インナーメンバー後端ストッパー３３（図６に示す。）が、内側リテーナー５側に突出して形成されている。
そして、上記の如く構成された中間メンバー２とインナーメンバー３の後端部間に順次移動装置６（後記）が設けられている。
【００１９】
外側リテーナー４は、合成樹脂材より棒状に形成され、摺動方向の前後端部でボール４０・・を回転自在に保持し、中間メンバー２がアウターメンバー１に対し最も伸長した状態で、アウタメンバー１内に残存する中間メンバー２の前後端部を支持する個所に位置している。
内側リテーナー５は、高さ方向中央部が略山形にインナーメンバー３側に突出する基板５１と、基板５１の上下端部に連設された上下縁５２、５２より構成され、上下縁５２、５２の摺動方向所定位置でボール５０・・・を回転自在に保持している。
【００２０】
順次移動装置６は、図５〜図１０に示す如く、中間メンバー２の後端部に設けられた合成樹脂製のインナーメンバー保持部材７と、インナーメンバー３のボール摺動凹溝３２、３２の後端部に形成された支持凹部６１、６１より構成されている。
インナーメンバー保持部材７は中間メンバー２の基板２０の内面に沿った形状の取付基板７１と、取付基板７１の上下端部に連設され、中間メンバー２の内面摺動凹溝２３、２３と、インナーメンバー３のボール摺動凹溝３２、３２間に位置し、中間メンバー２に対するインナーメンバー３の横振れを防止し、先端部分が先細り状となった前後方向に円柱状の横振れ規制部７２、７２と、横振れ規制部７２、７２の後方に連設されたインナーメンバー保持部７５、７５と、前記取付基板７１の後方に連設され、中間メンバー２の基板２０に形成された取付孔２０１に嵌合する嵌合突起７６を裏面側に有する取付部７７より構成されている。
【００２１】
前記インナーメンバー保持部７５、７５は、上下方向に適度な弾性を有する弾性脚部７３、７３と、弾性脚部７３、７３の後端部に連設され、インナーメンバー３が中間メンバー２に完全に収納された状態で、前記支持凹部６１、６１内に位置する保持突部７４、７４より構成されている。
【００２２】
本発明は上記の如く構成され、次のように作用する。
アウターメンバー１に中間メンバー２が収納され、中間メンバー２にインナーメンバー３が収納された状態（機器類、引出し等が収納された状態、図６に示す。）でインナーメンバー３が前方に引きだされると、インナーメンバー保持部７、７５の保持突部７４、７４が、インナーメンバー３の支持凹部６１、６１に弾性的に嵌合しているので、インナーメンバー３は中間メンバー２を保持しながら、共に前方に摺動する。
【００２３】
そして、中間メンバー２の外側リテーナー後端ストッパー２６、２６が外側ボールリテーナー４の後端に当接し、外側リテーナーストッパー１４に当接して、アウターメンバー１に対して中間メンバー２の摺動は停止する。更に、インナーメンバー３が引き出されると、インナーメンバー保持部７５、７５の保持突部７４、７４間を、弾性脚部７３、７３の弾性に抗して押し広げるようにインナーメンバー３の支持凹部６１、６１が前方に移動して、支持凹部６１、６１と保持突部７４、７４の弾性嵌合状態を解除し、インナーメンバー３は中間メンバー２に対し前方に摺動する。
やがて、内側リテーナー５の前端が中間メンバー２の内側リテーナー前端ストッパー２５に当接すると同時に、インナーメンバー３のインナーメンバー後端ストッパー３３が内側リテーナー５の後端に当接してインナーメンバー３の摺動が停止し、インナーメンバー３（機器類、引出し等）が完全に引き出された状態となる。
【００２４】
次に、この状態から、インナーメンバー３を収納（機器類、引出し等を収納）していくと、中間メンバー２とインナーメンバー３が順次、あるいは同時に後方に移動し（この時、インナーメンバー３が最も引き出された状態で、アウターメンバー１と中間メンバー２に介在するボール４０は、アウターメンバー１の前半部分で、中間メンバー２の後半部分を支持した状態から、後方に移動していくので、前記した順序とは逆に各メンバー２、３が摺動しなくても、中間メンバ２とーアウターメンバー１間に大きなモーメントも、アウターメンバー１の前部にひずみも発生せず、従って、各メンバー２、３の摺動に影響を与える事もない。）
、やがて、中間メンバー２の中間メンバー後端ストッパー２４（緩衝部材２４１）が、アウターメンバー１の収納時ストッパー１３に当接して停止する。
次に、インナーメンバー３のボール摺動凹溝３２、３２の後端部が横振れ規制部７２、７２に外嵌し、インナーメンバー保持部７５、７５を押し広げながら後方に移動し、保持突部７４、７４が支持凹部６１、６１に弾性的に嵌合した状態で、インナーメンバー３のインナーメンバー後端ストッパー３３が中間メンバー後端ストッパー２４（緩衝部材２４１）に当接して、インナーメンバー３の摺動は停止し、アウターメンバー１に中間メンバー２とインナーメンバー１３は完全に収納された状態（機器類、引出し等が完全に収納された図６に示す状態）となる。
【００２５】
すなわち、本発明の基本的な要旨は、横振れ規制部を中間メンバーとインナーメンバー間に設け、インナーメンバーが中間メンバーに収納された状態で、インナーメンバーの横振れを防止する事と、横振れ規制部を順次移動装置に近接させることにより、シーケンシャル機能をより効果的で安定性に優れたものとする点にある。
【００２６】
【発明の効果】
請求項１に記載の発明によれば、順次移動装置は、合成樹脂製のインナーメンバー保持部材とインナーメンバーの支持凹部より構成されているだけであるから、構造が簡単で安価に製作できる。
インナーメンバー保持部材は、一体に形成された横振れ規制部とインナーメンバー保持部を有し、横振れ規制部は、中間メンバーの内面摺動凹溝とインナーメンバーのボール摺動凹溝間に位置して設けているので、横振れを確実に防止することができ、シーケンシャル機能の安定性が向上する。
【図面の簡単な説明】
【図１】    本発明の斜視図。
【図２】    本発明のスライドレールの基本構造を説明する正面図。
【図３】    本発明のスライドレールの基本構造を説明する中央部分の断面
図。
【図４】    本発明のスライドレールの基本構造を説明する後端部分の断面
図。
【図５】    本発明のスライドレールの要部断面図。
【図６】    図５のＣ−Ｃ線断面図
【図７】    引出し初期段階の図６に対応する断面図。
【図８】    引出し中途段階の図６に対応する断面図。
【図９】    図８のＤ−Ｄ線断面図。
【図１０】  インナーメンバー保持部材の斜視図。
【図１１】  従来のスライドレールの基本構造を説明する断面図。
【図１２】  従来の順次移動装置を説明する断面図。
【符号の説明】
１
アウターメンバー
１００
スライドレール
２
中間メンバー
２０
基板
２３、２３          内面摺動凹溝
３
インナーメンバー
３２、３２          ボール摺動凹溝
４、４
外側ボールリテーナー
４０
ボール
５
内側ボールリテーナー
５０
ボール
６                  順次移動装置
７                  インナーメンバー保持部材
７２、７２          横振れ規制部
７５、７５          インナーメンバー保持部
【図１】
0004185568.tif 000002
【図２】
0004185568.tif 000003
【図３】
0004185568.tif 000004
【図４】
0004185568.tif 000005
【図５】
0004185568.tif 000006
【図６】
0004185568.tif 000007
【図７】
0004185568.tif 000008
【図８】
0004185568.tif 000009
【図９】
0004185568.tif 000010
【図１０】
0004185568.tif 000011
【図１１】
0004185568.tif 000012
【図１２】
0004185568.tif 000013